(57)【特許請求の範囲】
【請求項１】
箱型パレットにおいて、
前壁が上下にスライドする扉となっており、前記扉および背部に吊下げ紐の係合用の吊り環およびあるいはフォークリフトのフォーク差込み用の係合環が取りつけられており、吊下げあるいはリフトと同時に扉が上にスライドして開放することを特徴とする傾転式箱型パレット。
【請求項２】
扉には、左右両端部の上下に凸部が形成され、この凸部が両側壁の前側端に縦に形成された案内溝に係合していることを特徴とする請求項１に記載の傾転式箱型パレット。
【請求項３】
扉の下の凸部が案内溝の上端に達した時、扉の抜出しを制限するためのストッパが前壁に取りつけられていることを特徴とする請求項１あるいは２に記載の傾転式箱型パレット。
【発明の詳細な説明】
【０００１】
【発明の属する技術分野】
本発明は、荷の排出作業が容易に行える傾転式箱型パレットに関する。
【０００２】
【従来の技術】
箱型パレットから荷の排出作業を行う場合は、回転フォークリフトを利用し、フォークをハンガーパレットの下方にあるフォーク挿入部に挿入し、フォークを回転または傾斜することによって、持ち上げた箱型パレットから荷を排出することが行われている。
【０００３】
【発明が解決しようとする課題】
しかしながら、上記のような排出方法では、荷を排出するときに、箱型パレットの重心が、フォークから離れることになり、箱型パレットを持ち上げて運搬するときより、フォーク先端にかかる荷重が大となり、フォーク挿入部が破損しやすい。あるいは大きなフォークリフトが必要である。
また、荷を排出した後も、フォークを操作し、箱型パレットを元の状態に復帰させる必要があるので、作業は効率的ではないという問題があった。
【０００４】
また、扉のある箱型パレットの場合、通常、扉の上部が蝶板で、本体部と回転可能に連結し、扉の開閉は下方に設置されているストッパを開放して行う。このため、荷によって、ストッパに大きな荷重がかかり、ストッパを解除するのに、大きな労力が必要となり、またこの操作は、扉の前で行われるので、安全性に欠ける問題もあった。
本発明は、上記従来の問題点に鑑み、破損しにくい構造とし、かつ効率的に荷の排出作業が行え、また作業員にとって、安全に作業が行える傾転式箱型パレットを提供することを目的とする。
【０００５】
【課題を解決するための手段】
このため、本発明は、前壁を上下にスライドする扉とし、前記扉および背部に吊下げ紐の係合用の吊り環を取りつけ、吊下げることで扉が上に自動的にスライドして開放するようにした。
あるいは、前記扉および背部にフォークリフトのフォーク差込み用の係合環を取りつけ、リフトと同時に扉が上に自動的にスライドして開放するようにした。
【０００６】
さらに、扉には、左右両端部の上下に凸部を形成し、この凸部が両側壁の前側端に縦に形成された案内溝に係合してスライドするようにした。
さらに、扉の下の凸部が案内溝の上端に達した時、扉の抜出しを制限するためのストッパを前壁に取りつけた。
【０００７】
【作用】
これにより、扉の吊り環に吊り下げ紐であるワイヤーあるいは係合環にフォークを通し吊り上げることで、扉および背部だけが吊下げられて、傾転式箱型パレットの扉側が下方へ傾斜する。そのため扉は上方へスライドし、上の凸部が案内溝から外れ、扉は回転して、扉が開かれ、同時に傾転式箱型パレットも回転し、荷が排出される。扉は、ストッパで抜出しが制限され、排出作業中に、扉が外れることがない。
【０００８】
【発明の実施の形態】
次に、図に基づいて、発明の実施の形態を説明する。
図１は傾転式箱型パレットの前面で、図２は、側図を示す図である。
基部は、底板１とその両側に立設された側壁３ａ,３ｂで構成される。側壁３ａ、３ｂは、枠材で、強度を増強してある。
底板１と側壁３ａ,３ｂとは、コーナーで、横断面がＬ型の連結部材２ａ、２ｂにより連結される。連結部材２ａ,２ｂは、側壁３ａ,３ｂの下側面と接する面にＬ字型の案内溝が設けられ、側壁３ａ,３ｂに突設した連結ピンと係合して連結する。連結部材２ａ,２ｂは、図３に示すように倒して折り畳むことができるようになっている。底板１の下面には、キャスタ４が取りつけられている。
【０００９】
底板１は、図４に示すように、外枠６,７と内枠８,９を有し、枠８と枠９を格子状にして、強度の増強を図っている。枠の角部に、車輪を取りつけるための取り付け材１０を配設して、固定輪および回転自在輪を取りつけできるようになっている。外枠６,７の角に連結部材２ａ,２ｂが固定されている。底板１の上面には、板が敷かれる。
底板１上で側壁３ａ,３ｂの間に、扉と背面壁を取りつけることができる。
【００１０】
図５は、背面壁１１を取りつけた状態の傾転式箱型パレットの背面図である。
背面壁１１は、フック１１ｂで側壁３ａ,３ｂに取りつけられる。背面壁の上端面にはフォークリフトのフォークが差し込める２つの係合環１１ａが固定されている。
【００１１】
図６は、扉を取りつけた状態の傾転式箱型パレットの正面図である。
扉１２は、側壁３ａ,３ｂに対して上下にスライド可能であり、側壁３ａ,３ｂの端面には扉上部が上方より抜出し回転するときの回転角を制限するストッパがボルトで固定されている。扉およびストッパの詳細は後述する。
扉の上端面にはフォークリフトの係合環１２ａである。
傾転式箱型パレットは、フォークリフトでも、吊下げできるが、クレーンで吊下げる場合は、側壁のコーナーにある吊り環５ａ,５ｂにワイヤを結んで行う。
【００１２】
図７は、図６のＡ−Ａ断面図である。
図８は、図６のＢ−Ｂ断面図である。
なお、図７、８は、一部を破断し、拡大して示してある。
背面壁１１側では、側壁３ａ,３ｂの両側の縦枠に、水平方向にリング１５が取り付けられ、これに対応した高さで背面壁１１の外側にもリング１４が取り付けられ、内側の下方には当設部材１６が設けられ、背面壁１１を内部から装着し、リング１４,１５にフックをかけることによって背面壁１１を側壁３ａ,３ｂに固定できる。
【００１３】
扉側１２では、側壁３ａ,３ｂの両側の縦枠に、側壁と同じ高さのＬ字鋼１７が取りつけられ、案内溝２０が形成されている。扉１２の両側に図９に示すように、扉１２の上に案内溝２０に案内されるピン状の凸部１８、下に凸部１９が設置され、それぞれが案内溝に案内されて、扉１２が上下方向に移動することができる。扉１２の外側に、ストッパ１３がボルトによって側壁３ａ,３ｂの縦枠に固定されている。
【００１４】
ストッパ１３は、図１０に示すように、断面がＬ字型の支持部材１３ｃの中央部に、同じＬ字型のストッパ部１３ａを溶接した断面Ｆ字型となっている。支持部材１３ｃの両端部には、側壁に取り付けるための貫通穴１３ｂが形成されている。
なお、ストッパ部１３ａは、例えば点線で示すように、支持部材１３ｃの全幅に亘る構成としてもよい。すなわち、ストッパ部１３ａが、側壁３ａ、３ｂの縦枠の間に入ることができればよい。
ストッパ１３は、扉を取り外すときには影響を与えないが、荷を排出するときには、扉の抜出しを防止する役割を果たす。
【００１５】
次に、ストッパの役割について説明する。
図１１は、扉を外す場合の説明図である。
図１２は、荷を排出する場合の説明図である。
図１１において、ストッパ１３は、扉１２の外側にあるので、扉を上下に垂直にスライドする場合には影響しない。このため、（ａ）。（ｂ）、（ｃ）に示すように、垂直に扉を取り出すことができる。
【００１６】
一方、荷を排出するときには、図１２に示すように、上の凸部１８が案内溝２０から外れると、扉が、未だ案内溝内にある下の凸部１９を中心に回転する。しかし、荷を排出するときには、扉１２がスライドしながら、回転するので、下端部がストッパ１３と当接し、扉の回転角が制限されるとともに扉が側壁から外れることができなくなる。ここでは扉の回転を中心に説明してあるが、傾転式箱型パレットが荷量および自重で回転するものである。
【００１７】
図１３は、荷を排出する場合の状況説明図である。
側壁３ａの両側にある吊り環５ｂおよび扉の上部１２ａをワイヤ２１で結び、傾転式箱型パレットを吊り上げる。側壁３ａ,３ｂに対して、扉１２がスライドし、扉１２が吊り上げられる。そして、上の凸部１８が案内溝２０から抜出すと、扉が回転し、吊り上げに従って、傾転式箱型パレットが回転し傾斜する。
【００１８】
その後は、扉がスライドしながら、傾斜が進み、収容されている荷が排出される。図１４に示すように、扉１２が案内溝２０に対し傾斜し、扉の下部がストッパ１３に衝突し、扉の回転が停止し、扉の外れることが防止される。
そして、荷を排出後に、ワイヤを下ろすと、扉は自重で戻り、最後に、外れている上の案内部１８を案内溝内に手で戻せば閉じ、再び荷を収納できる状態になる。
【００１９】
【発明の効果】
本発明は、以上説明したように、吊り上げるだけで、扉が自動的に開き、傾転式箱型パレット全体が傾斜することにより、荷の排出が行える。従来と比べると、大きな荷重を発生することなく荷の排出ができる。また作業員にとって、扉の開閉作業の必要が無く、安全に作業が行える。
【図面の簡単な説明】
【図１】本発明パレットの基部を示す正面図である。
【図２】本発明パレットの底板部分を示す右側面図である。
【図３】側壁を折り畳んだ状態を示す図である。
【図４】底板の構成を示す図である。
【図５】背面壁を取りつけた状態で、背面壁から見た本発明パレットの背面図である。
【図６】扉を取りつけた状態で、扉側から見た本発明パレットの正面図である。
【図７】図６のＡ−Ａ断面図である。
【図８】図６のＢ−Ｂ断面図である。
【図９】案内凸部の位置を示す図である。
【図１０】ストッパを示す斜視図である。
【図１１】扉を外す場合の説明図である。
【図１２】荷を排出する場合の説明図である。
【図１３】荷を排出する場合の状況説明図である。
【図１４】ストッパと当接した状態の説明図である。
【符号の説明】
１    底板
２    連結部材
３    側壁
４    キャスタ
５    吊り環
１１    背面壁
１２    扉
１３    ストッパ
１８、１９      凸部
２０    案内溝
【図１】
0003976533.tif 000002
【図２】
0003976533.tif 000003
【図３】
0003976533.tif 000004
【図４】
0003976533.tif 000005
【図５】
0003976533.tif 000006
【図６】
0003976533.tif 000007
【図７】
0003976533.tif 000008
【図８】
0003976533.tif 000009
【図９】
0003976533.tif 000010
【図１０】
0003976533.tif 000011
【図１１】
0003976533.tif 000012
【図１２】
0003976533.tif 000013
【図１３】
0003976533.tif 000014
【図１４】
0003976533.tif 000015